(57)【要約】【課題】  高い画素密度を有する撮像素子を用いた画像入力システムに対し、装置の複雑化や高価格化を招くことなく、効率的にスキャン時間を短縮することを可能とする画像入力システムを提供する。【解決手段】  フィルム上に現像された画像を電子的に撮像して画像信号を生成し、画像信号の読み込みを行う撮像手段と、撮像手段で読み込まれた画像信号を、記録する記憶手段と、撮像手段に読み込まれたフィルム画像を表示する表示手段と、撮像手段にプリスキャンを行わせ、プリスキャンにより読み込まれた画像信号を、記憶手段に記憶し、記憶手段に記憶された画像信号を読み出して、プリスキャンで読み込まれたプリスキャン画像の画素数よりも少ない画素数のインデックス画像を表示手段に表示する制御手段とを有する画像入力システムにより、効率的にスキャン時間を短縮することができる様になる。【選択図】        図３
2006222502.tif 000002
【特許請求の範囲】
【請求項１】
フィルム上に現像されたフィルム画像を電子的に撮像して画像信号を生成し、前記画像信号の読み込みを行う撮像手段と、
前記撮像手段で読み込まれた前記画像信号を、記録する記憶手段と、
前記画像信号に基づいて、前記撮像手段に読み込まれたフィルム画像を表示する表示手段と、
前記撮像手段にフィルムホルダまたはフィルムが装着されることを検知する検知手段と、
前記検知手段の検知結果に基づいて、前記撮像手段にプリスキャンを行わせ、
プリスキャンにより読み込まれた画像信号を、前記記憶手段に記憶し、前記記憶手段に記憶された前記画像信号を読み出して、プリスキャンで読み込まれたプリスキャン画像の画素数よりも少ない画素数のインデックス画像を前記表示手段に表示する制御手段と、を有することを特徴とする画像入力システム。
【請求項２】
前記表示手段に表示されたインデックス画像を選択する、操作手段を有し、
前記制御手段は、
前記記憶手段から前記操作手段で選択されたインデックス画像に基づくプリスキャン画像を読み出して、前記表示手段に表示することを特徴とする請求項１に記載の画像入力システム。
【請求項３】
前記撮像手段は、前記フィルムを主走査して前記フィルム画像を読み取る撮像素子と、前記撮像素子に対して前記フィルムを前記主走査方向と直交する副走査方向に移動する走査機構とを有し、
前記走査機構は、前記フィルムを支持するフィルムホルダと、前記フィルムホルダまたは前記フィルムを支持する移動テーブルと、前記フィルムホルダまたは前記フィルムを前記移動テーブルに対して前記副走査方向に相対移動する第１の走査手段と、前記移動テーブルを前記副走査方向に相対移動する第２の走査手段と、を有することを特徴とする請求項１に記載の画像入力システム。
【請求項４】
前記第１の走査手段、及び前記第２の走査手段により読み取るフィルム画像の画素数は、何れも複数種の読み取り画素数を設定することができ、前記第１の走査手段は低画素数の読み取りを行い、前記第２の走査手段は高画素数の読み取りを行うことを特徴とする請求項３に記載の画像入力システム。
【請求項５】
前記第１の走査手段により読み取られるフィルム画像の最大画素数をＰ１ｍａｘ、前記第２の走査手段により読み取られるフィルム画像の最小画素数をＰ２ｍｉｎ、とすると、下記の関係を有することを特徴とする請求項３または４に記載の画像入力システム。
Ｐ１ｍａｘ≧Ｐ２ｍｉｎ
【請求項６】
プリスキャン指示を行う操作手段を有し、
前記制御手段は、
前記操作手段より、プリスキャン指示を受けたときには、前記撮像手段に、前記第２の走査手段を駆動させて、前記フィルム画像の読み取り動作を行わせることを特徴とする請求項３に記載の画像入力システム。
【発明の詳細な説明】
【技術分野】
【０００１】
本発明は、銀塩フィルム上に現像されたフィルム画像を電子的に読み取ってデジタル画像信号に変換して記録するための画像入力システムに関する。
【背景技術】
【０００２】
近年のパーソナルコンピュータ（パソコン）の普及に伴い、デジタルスチルカメラで撮影した画像や、スキャナ装置で走査した画像をパソコンに取り込んで画像処理を行い、あるいは記録することが行われている。このような時代の要求により、銀塩フィルム等の写真フィルムで撮影した画像をパソコンに取り込むことが考えられており、従来では印画した撮影画像をスキャナ装置により読み取ることが行われている。しかしながら、この種のスキャナ装置では印画に焼付けた上で読み取りを行う必要があるため、写真フィルム上のネガ画像あるいはポジ画像を直接に読み取るためのフィルムスキャナが提案されている。このようなフィルムスキャナは、基本的には従来のスキャナ装置と同じであり、フィルムの画像をＣＣＤ素子等の光電変換素子からなるラインセンサにより主走査するとともに、フィルムまたはラインセンサを主走査方向と直交する副走査方向に移動させて副走査する構成がとられている。
【０００３】
ところで、この種のフィルムスキャナでは、最初にインデックススキャン、次にプリスキャン、そして最後にフィルム画像を正規に読み取る本スキャン動作の３つの機能を備えたものが一般的である。
【０００４】
インデックススキャンは、例えば３５ｍｍネガ／ポジスリーブフィルム、スライドフィルム等に記録されている複数枚の画像を連続して低解像度で高速に読み取り、読み取った画像をパーソナルコンピュータのモニタ画面に見本画像としてインデックス表示するものである。こうすることにより、操作者はフィルムに記録されている画像を視認することができ、インデックス表示された複数枚の見本画像から、所望の画像を選択することができる様になる。
【０００５】
プリスキャンは、インデックス表示された複数枚の見本画像から選択された１枚の画像が正しい状態で読み取られることを確認したり、またトリミングや、その他画像補正を行ったりするために用いられるものであり、本スキャンのように高解像度な読み取りを行う必要はなく、その一方で読み取り時間を短くしてより高速に読み取り画像をプレビューさせることが好まれる。その方法は、副走査を本スキャンの数ピッチ毎に設定し、そのときの主走査の画素を副走査のピッチ毎に間引くことで行っており、プリスキャン時における読み取りの高速化が図られている。これは、スキャナにおける主走査方向の速度は使用するラインセンサの読み取り時間、例えばＣＣＤ素子の場合には電荷蓄積時間はラインセンサによって一義的に決定されてしまため、主走査の制御によって読み取り精度を粗くすることは困難であり、そのために副走査方向の読み取り密度を粗くしている。例えば、従来においては、本スキャン時の副走査に対してプリスキャン時の副走査を数ピッチ置きとし、これにより、プリスキャン時の副走査本数を本スキャン時の副走査本数に対して低減することが行われている。
【０００６】
しかしながら、この様な方式のフィルムスキャナでは、プリスキャン時に、例えばフィルムをラインセンサに対して副走査方向に移動する速度は本スキャン時の移動速度と同じであり、副走査時の読み取りタイミングを間引きすることで数ピッチ置きの読み取りを行う方式であるため、同一のフィルム画像を読み取る際に、ラインセンサに対してフィルムを副走査方向に移動させるのに必要な時間はプリスキャンと本スキャンとで同じとなる。そのため、プリスキャンを高速化することが困難であった。
【０００７】
この様に、本スキャンを行う前には、インデックススキャン、プリスキャンを都度行う必要があり、さらに、プリスキャンに要する走査時間は本スキャンの走査時間と同じであることより、本スキャンを行うまでに、多くの時間を要し、操作性に大きく影響を及ぼすことになる。したがって各々のスキャン時間を短縮し操作性を向上させる必要がある。そして、スキャン時間を短縮する技術がこれまでも種々検討されてきた。
【０００８】
例えば、撮像素子に対してフィルムを副走査するための走査機構の構成として、フィルムを支持するフィルムホルダと、このフィルムホルダを支持する移動テーブルと、この移動テーブルを第１の速度で副走査方向に移動する第１の走査手段と、前記フィルムホルダを前記移動テーブルに対して第２の速度で副走査方向に移動する第２の走査手段とを備え、第２の走査手段による副走査ピッチを荒くして、第２の走査手段による副走査速度を第１の走査手段による副走査速度よりも高速に設定することにより、プリスキャンの副走査速度を本スキャンの副走査速度よりも高速化でき、プリスキャンの時間を短縮する。また、第２の走査手段の副走査速度を第１の走査手段の副走査速度よりも特に高速に設定しなくとも、プリスキャン時には、第１の走査手段と第２の走査手段を同時に駆動して副走査を行うことにより、プリスキャンの時間を短縮することができる様にしたフィルムスキャナの技術が挙げられる。（例えば、特許文献１参照）
【特許文献１】特開２０００−２５０１４５号公報（段落００２９等参照）
【発明の開示】
【発明が解決しようとする課題】
【０００９】
近年、フィルムスキャナの高性能化に伴い、ＣＣＤ素子等の光電変換素子からなるラインセンサの高画素化が加速しているが、一方では読み取り密度が高くなることにより、スキャン時間が長くなる傾向にある。また、本スキャン画像を得るまでには、インデックススキャン、プリスキャンを都度行う必要があり、多くの時間を消費することにより、操作性に大きく影響を及ぼすことになる。したがって各々のスキャン時間を短縮して、その影響を軽減しなくてはならない。
【００１０】
スキャン時間を短縮する方法としては、上述した様に、特許文献１においては、２つの走査手段を備え、プリスキャンを高速で行うことにより、スキャン時間の短縮化を行っている。しかしながら、上述した様に、プリスキャンを行う前には、インデックススキャンが必要であり、本スキャン画像を得るまでのスキャンシーケンス全体を対象とした時間短縮の対策を示唆するものではなかった。
【００１１】
本発明は、上記課題に鑑みてなされたものであり、高い画素密度を有する撮像素子を用いた画像入力システムにおいて、装置の複雑化や高価格化を招くことなく、インデックススキャンから本スキャンに至るまでのスキャンシーケンス全体を対象として、効率的なスキャン時間短縮対策を図った画像入力システムを提供することを目的とする。
【課題を解決するための手段】
【００１２】
上記目的は、下記の請求項１〜６に記載の発明によって達成される。
【００１３】
（請求項１）
フィルム上に現像されたフィルム画像を電子的に撮像して画像信号を生成し、前記画像信号の読み込みを行う撮像手段と、
前記撮像手段で読み込まれた前記画像信号を、記録する記憶手段と、
前記画像信号に基づいて、前記撮像手段に読み込まれたフィルム画像を表示する表示手段と、
前記撮像手段にフィルムホルダまたはフィルムが装着されることを検知する検知手段と、
前記検知手段の検知結果に基づいて、前記撮像手段にプリスキャンを行わせ、
プリスキャンにより読み込まれた画像信号を、前記記憶手段に記憶し、前記記憶手段に記憶された前記画像信号を読み出して、プリスキャンで読み込まれたプリスキャン画像の画素数よりも少ない画素数のインデックス画像を前記表示手段に表示する制御手段と、を有することを特徴とする画像入力システム。
【００１４】
（請求項２）
前記表示手段に表示されたインデックス画像を選択する、操作手段を有し、
前記制御手段は、
前記記憶手段から前記操作手段で選択されたインデックス画像に基づくプリスキャン画像を読み出して、前記表示手段に表示することを特徴とする請求項１に記載の画像入力システム。
【００１５】
（請求項３）
前記撮像手段は、前記フィルムを主走査して前記フィルム画像を読み取る撮像素子と、前記撮像素子に対して前記フィルムを前記主走査方向と直交する副走査方向に移動する走査機構とを有し、
前記走査機構は、前記フィルムを支持するフィルムホルダと、前記フィルムホルダまたは前記フィルムを支持する移動テーブルと、前記フィルムホルダまたは前記フィルムを前記移動テーブルに対して前記副走査方向に相対移動する第１の走査手段と、前記移動テーブルを前記副走査方向に相対移動する第２の走査手段と、を有することを特徴とする請求項１に記載の画像入力システム。
【００１６】
（請求項４）
前記第１の走査手段、及び前記第２の走査手段により読み取るフィルム画像の画素数は、何れも複数種の読み取り画素数を設定することができ、前記第１の走査手段は低画素数の読み取りを行い、前記第２の走査手段は高画素数の読み取りを行うことを特徴とする請求項３に記載の画像入力システム。
【００１７】
（請求項５）
前記第１の走査手段により読み取られるフィルム画像の最大画素数をＰ１ｍａｘ、前記第２の走査手段により読み取られるフィルム画像の最小画素数をＰ２ｍｉｎ、とすると、下記の関係を有することを特徴とする請求項３または４に記載の画像入力システム。
Ｐ１ｍａｘ≧Ｐ２ｍｉｎ
（請求項６）
プリスキャン指示を行う操作手段を有し、
前記制御手段は、
前記操作手段より、プリスキャン指示を受けたときには、前記撮像手段に、前記第２の走査手段を駆動させて、前記フィルム画像の読み取り動作を行わせることを特徴とする請求項３に記載の画像入力システム。
【発明の効果】
【００１８】
請求項１に記載の本発明によれば、制御手段は、撮像手段にフィルムホルダまたはフィルムが装着されることにより、自動的に撮像手段にプリスキャンを行わせ、プリスキャンにより読み込まれた画像信号を、記憶手段に記憶し、記憶手段に記憶された画像信号を読み出して、プリスキャンで読み込まれたプリスキャン画像の画素数よりも少ない画素数のインデックス画像を表示手段に表示することができる様になる。すなわち、操作者は、フィルムを撮像手段に装着するだけで、自動的にプリスキャンが行われることによりスキャン時間の短縮が可能となる。またプリスキャンによって読み込まれた画像信号からインデックス画像が生成されて、表示手段に表示することができる様になるので、操作者はプリスキャン画像信号、及びインデックス画像を１回のスキャン動作で得られる様になり、効率的なスキャン時間短縮が可能な画像入力システムの提供を可能にした。
【００１９】
請求項２に記載の本発明によれば、操作者は、表示手段に表示されたインデックス画像から所望の画像を操作手段で選択することにより、新たなプリスキャン動作を行うことなく、制御手段は、記憶手段から操作手段で選択されたインデックス画像に基づくプリスキャン画像を読み出して、表示手段に表示することができる様になるので、プリスキャン画像を即座に得ることができる様になる。
【００２０】
請求項３乃至請求項５に記載の本発明によれば、撮像手段は、フィルムを主走査してフィルム画像を読み取る撮像素子と、撮像素子に対してフィルムを主走査方向と直交する副走査方向に移動する走査機構とを有し、走査機構は、フィルムを支持するフィルムホルダと、フィルムホルダまたはフィルムを支持する移動テーブルと、フィルムホルダまたはフィルムを移動テーブルに対して前記副走査方向に移動する第１の走査手段と、移動テーブルを前記副走査方向に移動する第２の走査手段と、を有し、第１の走査手段により読み取られるフィルム画像の最大画素数をＰ１ｍａｘ、第２の走査手段により読み取られるフィルム画像の最小画素数をＰ２ｍｉｎ、とすると、Ｐ１ｍａｘ≧Ｐ２ｍｉｎの関係を有する様にしたので、第１の走査手段により読み取られるフィルム画像の画素数と、第２の走査手段により読み取られるフィルム画像の画素数とをオーバーラップさせることにより、プリスキャン画像を何れの走査手段でも得ることができる様になる。
【００２１】
請求項６に記載の本発明によれば、制御手段は、操作手段より、プリスキャン指示を受けたときには、撮像手段に、第２の走査手段を駆動させて、フィルム画像の読み取り動作を行わせる様にしたので、本スキャン画像の画質に近い精度の高いプリスキャン画像が得られる様になる。すなわち、操作者は、精度の高いプリスキャン画像を得たいときには、本スキャンと同じ走査手段である第２の走査手段を駆動させてフィルム画像の読み取り動作を行うことができる様になる。
【発明を実施するための最良の形態】
【００２２】
（全体構成の説明）
以下図面に基づいて、本発明の実施形態に係わる画像入力システムについて説明する。
図１は、本実施形態に係る画像入力システム（フィルム画像読取システム）１の全体構
成図、図２は、フィルムスキャナ２の外観を示す斜視図である。この画像入力システム１は、フィルムスキャナ２と、ホストコンピュータ３（以下、ホストＰＣ３と略称する。）とから構成される。
【００２３】
フィルムスキャナ２は、図２に示すように、前面の上部に電源スイッチ２０１が設けられている。また中央部にはスキャンユーティリティを選択するためのスキャンユーティリティ選択スイッチ２０２と、後述するフィルムホルダ４を取出すためのフィルムホルダ取出しスイッチ２０３が設けられ、フィルムホルダ取出しスイッチ２０３の近くにフィルムホルダ挿入口２０５が設けられている。フィルムホルダ挿入口２０５は３５ｍｍネガ／ポジスリーブフィルム５（以下、フィルム５と略称する。）の各駒に撮影された画像（フィルム画像）を読み取るべくフィルム５がセットされたフィルムホルダ４を挿入するためのものであり、ごみ等の侵入を防止するためシャッタ２０６が開閉可能に設けられている。また前面の下部には、手動焦点調整操作ダイアル２０４が設けられている。手動焦点調整用操作ダイアル２０４は、現像済みのフィルム５の光像を後述する撮像素子としてのＣＣＤ（Ｃｈａｒｇｅ  Ｃｏｕｐｌｅｄ  Ｄｅｖｉｃｅ）２１７の撮像面に結像する撮像レンズ２１６の焦点調節を行うものである。すなわち、フィルムスキャナ２は、本発明に係わる画像入力システム１における撮像手段として機能するものである。
【００２４】
フィルムスキャナ２は、３５ｍｍネガ／ポジスリーブフィルム５や、３５ｍｍマウントフィルムのフィルム画像の読み取りが可能で、フィルムホルダ挿入口２０５には、フィルム５をセットするフィルムホルダ４や、３５ｍｍマウントフィルムをセットするための図示しないスライドマウントホルダの何れもセット可能になっている。
また、カートリッジその他のフィルム収納方式に対応可能にしてもよい。
【００２５】
ホストＰＣ３は、図１に示すように、制御本体３０１と、表示部３０２（以下、モニタ３０２と略称する。）と入力操作部３０３（以下、キーボード３０３と略称する。）とを備えてなり、フィルムスキャナ２は、ＵＳＢケーブル３０４を介して制御本体３０１に接続され、ホストＰＣ３からの制御コマンドに従って画像読取動作が行われる。
【００２６】
すなわち、ホストＰＣ３は、フィルム画像が必要になると、所定のコマンドをフィルスキャナ２に送出して、後述するフィルム画像のプリスキャン及び本スキャンを行わせる。フィルムスキャナ２はホストＰＣ３から送信されるコマンドに従って装置の初期化を行ったのち、ＣＣＤ２１７をフィルム５のフィルム画像に対して相対的にスキャンしてフィルム画像のデータ（画像データ）を取り込み、各画像データに所定の画像処理を施した後、順次、ホストＰＣ３に転送する。ホストＰＣ３は転送された画像データを、制御本体３０１内の後述する記憶部３１４に記憶するとともに、記憶部３１４に記憶された画像データを読み出してインデックス画像、プレスキャン画像、または本スキャン画像としてモニタ３０２に表示する。そして、ライン単位でフィルム画像の撮像及び画像データのホストＰＣ３への転送が繰り返され、全フィルム画像を構成する画像データの転送が終了すると、フィルムスキャナ２はフィルム画像の読取動作を終了する。
【００２７】
（全体的な電気的構成の説明）
図４は、本発明の実施形態に係わる画像入力システム１の電気的構成を示すブロック図である。なお、図４では図１及び図２に示した部材と同じ部材には同一の番号を付した。
【００２８】
図４において、フィルムスキャナ２は、ホストＰＣ３に例えばＵＳＢ規格で接続され、ホストＰＣ３上で起動する画像処理ソフトウェアをサポートするホストＰＣ３の周辺装置として機能するものである。なお、フィルムスキャナ２をホストＰＣ３に接続するための規格は、上記のＵＳＢ規格に限らずＩＥＥＥ１３９４規格等でもよい。
【００２９】
フィルムスキャナ２は、光源２１４及び撮像レンズ２１６からなる光学系、ＣＣＤ２１７、ＣＤＳ回路部２５１、アンプ部２５２、アナログマルチプレクサ２５３（以下、ＭＰＸ２５３と略称する。）Ａ／Ｄ変換器２５４、デジタル信号処理部２６１、出力データバッファメモリ２６２、ＤＭＡコントローラ２６３、ＵＳＢコントローラ２６４、タイミングジェネレータ２６８、制御マイコン２６５、及びフォーカスモータドライバ２６９、キャリッジモータドライバ２７０、フィルムホルダモータドライバ２７１から構成されている。
【００３０】
光学系は、詳細な説明は省略するが、光軸Ｌ上に配設された光源２１４、撮像レンズ２１６などから構成されている。光源２１４は、例えばＬＥＤ、クセノンランプ、冷陰極管あるいはハロゲンランプ等から構成されるランプを有し、フィルム５を照明するものである。
【００３１】
ＣＣＤ２１７は、例えばフォトダイオード等の複数の光電変換素子（画素）がライン状に１次元配列されたラインセンサが３本並列に配列されてなり、各ラインセンサの受光面にはそれぞれＲ（赤）、Ｇ（緑）、Ｂ（青）の色フィルタが配設され、受光面に結像したフィルム画像の光像を電気信号に変換して、ライン単位でＲ、Ｇ、Ｂ各色の画像信号として出力するカラーＣＣＤである。
【００３２】
ＣＤＳ（相関二重サンプリング）回路部２５１は、Ｒ、Ｇ、Ｂ各チャンネルに対応して配設されたＣＤＳ回路２５１Ｒ、２５１Ｇ、２５１Ｂを備える。ＣＤＳ回路２５１Ｒ、２５１Ｇ、２５１ＢはＣＣＤ２１７より読み出された画像信号より読み出しとき発生するノイズの低減や制御マイコン２６５から入力されるクランプレベルに基づいて、Ｒ、Ｇ、Ｂ各色の画像信号の黒レベルを、ＣＣＤ２１７の黒基準出力部から出力されるクランプレベルに調整するものである。
【００３３】
アンプ部２５２は、Ｒ、Ｇ、Ｂ各チャンネルに対応して配設されたアンプ２５２Ｒ、２５２Ｇ、２５２Ｂを備える。アンプ２５２Ｒ、２５２Ｇ、２５２Ｂは、制御マイコン２６５から入力されるアナログゲインに基づいて、Ｒ、Ｇ，Ｂ各チャンネルの画像信号のゲイン調整を行うものである。このアナログゲインは、ホストＰＣ３で算出される。
【００３４】
ＭＰＸ２５３は、Ｒ、Ｇ、Ｂ各チャンネルの画像信号を選択的にシリアル出力するものである。
【００３５】
Ａ／Ｄコンバータ２５４は、アナログのＲ、Ｇ、Ｂの画像信号を、フィルムスキャナ固
有のビット数、例えば１６ビットや１２ビットのデジタル信号にそれぞれ変換するもので
ある。
【００３６】
デジタル信号処理部２６１は、デジタル化されたＲ、Ｇ、Ｂ各チャンネルの画像信号に、Ａ／Ｄ変換器２５４への入力レベルのオフセットをキャンセルする黒補正や光学系を構成する光源２１４、撮像レンズ２１６、及びＣＣＤ２１７によって生じるシェーディングをキャンセルするシェーディング補正や、またＲ、Ｇ、Ｂ信号のガンマ変換等の処理を行うものである。黒補正は、無信号状態でＣＣＤ２１７の１ライン分の画像信号を取り込み、この画像信号をホストＰＣ３に転送する。シェーディング補正は、光源２１４の照明光を直接ＣＣＤ２１７に入射して、すなわちフィルム５のない、素通しの状態でＣＣＤ２１７を照明して画像信号を取り込み、この画像信号をホストＰＣ３に転送する。以下、デジタル信号処理部２６１により上記各処理が施された画像信号を画像データという。
【００３７】
出力データバッファメモリ２６２は、Ｒ、Ｇ、Ｂの各色の画像データを一時的に記憶するメモリで、各画像データは、出力データバッファメモリ２６２からＤＭＡコントローラ２６３とＵＳＢコントローラ２６４とを介してホストＰＣ３に出力されるようになっている。
【００３８】
ＤＭＡコントローラ２６３は、制御マイコン２６５からの制御信号に基づき、デジタル信号処理部２６１や出力データバッファメモリ２６２と、ＵＳＢコントローラ２６４との間の画像データ等の転送を制御するものである。ＵＳＢコントローラ２６４は、フィルムスキャナ２とホストＰＣ３との間での画像データを含む種々のデータの送受信におけるインターフェース制御を行うものである。
【００３９】
タイミングジェネレータ２６８は、制御マイコン２６５からの制御信号に基づき、各部の駆動タイミングを制御するタイミング信号を出力するものである。ＣＣＤ２１７には、電荷の蓄積時間等を制御するタイミング信号が入力される。ＣＤＳ回路部２５１には、クランプレベル調整のタイミング信号が入力される。また、ＭＰＸ２５３及びＡ／Ｄ変換器２５４には、それぞれ同期用のクロック信号が入力される。
【００４０】
なお、この種のフィルムスキャナ２にあっては、Ｒ、Ｇ、Ｂ各色の露光時間を、被写体情報に応じて色毎に変えることが、きめ細やかな諧調を再現し高品質な画像を得るという点で望ましい。このため、後述するの露光量制御部３１０においてＲ、Ｇ、Ｂの色別に露光パラメータ（露光時間）を設定可能とし、前記タイミングジェネレータ２６８が係る設定制御信号を受けて、ＣＣＤ２１７のＲ、Ｇ、Ｂ各色用画素の電荷転送タイミングを色別に設定された所定タイミングとする（つまり、Ｒ、Ｇ、Ｂの色別に本スキャンを行う）構成とすることが望ましい。これにより、濃度調整だけでなくホワイトバランスの制御も可能となり、ゲイン調整だけでは十分に再現できないような繊細な画像を形成することが可能となる。
【００４１】
制御マイコン２６５は、例えば制御プログラムを記憶するＲＯＭ２６６や一時的にデータを記憶するＲＡＭ２６７が内蔵されたマイクロコンピュータからなり、フィルムスキャナ２の各部の動作を制御するもので、フィルム５のスキャンを行う際の後述する第１の走査機構２２１や第２の走査機構２３１などの制御、ＵＳＢコントローラ２６４を介してホストＰＣ３から送信される露光時間データに基づくタイミングジェネレータ２６８のタイミング信号出力制御、ＵＳＢコントローラ２６４を介してホストＰＣ３から送信されるアナログゲインに基づいてアンプ部２５２のゲイン調整制御等の機能を有している。
【００４２】
また、制御マイコン２６５は、後述する制御本体３０１の制御部３０５（本スキャン制御部３１３またはプリスキャン制御部３１２）からの指令信号に基づいて、フィルム画像を撮像させて実際に画像を記録する撮像動作（本明細書ではこれを「本スキャン」という）、並びに本スキャンで画像データを取り込む際の露光条件等を設定するために、本スキャンの前にフィルム画像を予備的に撮像させる撮像動作（本明細書ではこれを「プリスキャン」という）を行う。本スキャン及びプリスキャンにて取り込まれた画像データは、出力データバッファメモリ２６２からＤＭＡコントローラ２６３及びＵＳＢコントローラ２６４を介してホストＰＣ３に転送される。
【００４３】
制御マイコン２６５のＲＯＭ２６６には、Ａ／Ｄ変換器２５４の出力信号のビット数情報やフィルムスキャナ２の機種名情報を含むフィルムスキャナの種類に関する情報（スキャナ情報）が記憶されており、このスキャナ情報はスキャンを開始する際にホストＰＣ３に送信される。なお、ホストＰＣ３には、複数の機種のフィルムスキャナが接続可能とされている。ホストＰＣ３は、各機種のフィルムスキャナのスキャナ情報を有しており、例えば起動時に、接続されているフィルムスキャナの機種を判別する機能を備えている。
【００４４】
フィルムホルダ駆動モータ２２２、移動テーブル駆動モータ２３２（以下、キャリッジ駆動モータ２３２と略称する。）、及びフォーカスモータ２４１はそれぞれフィルムホルダモータドライバ２７１、移動テーブルモータドライバ２７０（以下、キャリッジモータドライバ２７０と略称する）、及びフォーカスモータドライバ２６９を介して制御マイコン２６５によって回転が制御されるように構成されている。
【００４５】
フィルムホルダ検知センサ２７２は、フォトインタラプタ等から構成され、フィルムホルダ４がフィルムホルダ挿入口２０５に挿入されたことを検知する検知手段として機能する。
【００４６】
次に、ホストＰＣ３について説明する。ホストＰＣ３は、ＵＳＢコントローラ３０６、制御部３０５及びフレームメモリ３０７を備えて、本発明における制御手段に該当する制御本体３０１と、表示手段としてのモニタ３０２と、キーボードやマウス等からなるキーボード３０３とから構成されている。
【００４７】
ＵＳＢコントローラ３０６は、フィルムスキャナ２とホストＰＣ３との間でのデータの送受信におけるインターフェース制御を行うものである。
【００４８】
制御部３０５は、機能的に、接続判定部３０８、データ受信部３０９、露光量制御３１０、合焦制御部３１１、プリスキャン制御部３１２、本スキャン制御部３１３、記憶部３１４、データ転送部３１５、及びインデックス画像生成部３１６と、を備えている。
【００４９】
接続判定部３０８は、フィルムスキャナ２が当該ホストＰＣ３に接続されているか否かを判定するものである。データ受信部３０９は、フィルムスキャナ２から送信される画像データやスキャナ情報を受信するものである。受信した画像データ等は記憶部３１４に記録される。
【００５０】
露光量制御部３１０は、プリスキャン時及び本スキャン時における露光時間等の露光条
件を設定するものである。前記プリスキャン時においては、露光量制御部３１０は予め設定された標準的な露光条件（露光時間）を設定し、制御マイコン２６５を介して撮像動作を実行させる。本スキャン時においては、プリスキャンにより取得された画像データからヒストグラム（フィルム濃度）を自動算出する等して適正な露光パラメータを算出し、該露光パラメータに基づいて露光条件（露光時間）を設定する。なお、例えばＲ、Ｇ、Ｂの色別に本スキャンを実行させるような場合は、該露光量制御部３１０はＲ、Ｇ、Ｂの色別に露光パラメータ（露光時間）を設定する。
【００５１】
合焦制御部３１１は、合焦状態でフィルム画像を撮像すべく、フィルム５を光軸方向に進退させる等して所定の合焦評価値を取得し、合焦位置を求める制御を行う。
【００５２】
プリスキャン制御部３１２は、プリスキャンの動作全般を制御する。すなわち、プリス
キャン画像を得るための撮像動作を行わせたり、プリスキャン画像から露光条件を設定するための画像データを取得して前記露光量制御部へ送信させたりする。
【００５３】
本スキャン制御部３１３は、本スキャンの動作全般を制御する。すなわち、露光量制御
部３１０により設定された所定の露光条件でフィルム５の撮像動作を実行させる。なお、上述の様にＲ、Ｇ、Ｂの色別に露光パラメータが設定されている場合は、Ｒ、Ｇ、Ｂの色別に本スキャン撮像動作を実行させる。
【００５４】
記憶部３１４は、上述の通りデータ受信部３０９により受信された画像データ等を一時
的に記憶する。すなわち、記憶部３１４は、本発明に係わる画像入力システムにおける記憶手段として機能するものである。
【００５５】
データ転送部３１５は、合焦制御部３１１にて設定された合焦制御データや、露光量制
御部３１０にて設定された露光条件に関するデータを含む各種のデータを転送データ形式
に変換するもので、変換された転送データは、ＵＳＢコントローラ３０６を介してフィル
ムスキャナ２の各部に転送される。
【００５６】
インデックス画像生成部３１６は、記憶部３１４に記憶されたプリスキャン画像を読み出して、プリスキャンで読み込まれたプリスキャン画像の画素数よりも少ない画素数のインデックス画像を生成するものである。
【００５７】
フレームメモリ３０７は、設定された露光条件で本スキャンして得られた１コマ分の画像データを記憶するものである。この画像データは、ユーザの操作により、モニタ３０２に画像として表示したり、ホストＰＣ３が備えるメモリ部やホストＰＣタ装置にて紙出力されたりする。
【００５８】
モニタ３０２は、ＬＣＤやＣＲＴ等からなり、フレームメモリ３０７に記憶されたフィルム画像を表示するものである。すなわち、モニタ３０２は、本発明に係わる画像入力システムにおける表示手段として機能するものである。
【００５９】
キーボード３０３は、フィルムスキャナ２によるフィルム５のスキャン開始の指示を行うための指示操作等の各種操作を行わせるものである。すなわち、キーボード３０３は、本発明に係わる画像入力システムにおける操作手段として機能するものである。
【００６０】
（走査機構構成の説明）
図３は、本発明の実施形態に係わるフィルムスキャナ２の走査機構構成を示す斜視図である。なお、図３では図１、図２及び図４に示した部材と同じ部材には同一の番号を付した。
【００６１】
図外の装置筐体には、水平方向に２本のガイドバー２１１が架設されており、ガイドバー２１１に沿って詳細を後述する移動テーブル２１２（以下、キャリッジ２１２と略称する。）が移動可能に載架されている。なお、キャリッジ２１２には、読み取りを行うフィルム５を保持したフィルムホルダ４が保持される。また、２本のガイドバー２１１間の長さ方向の一部領域に読み取り部２１３が構成されている。
【００６２】
読み取り部２１３は、キャリッジ２１２の両側面に配置されて発光面をキャリッジ２１２側に向けた光源２１４と、キャリッジ２１２に対して光源２１４とは反対側面に配置されて、光軸Ｌを後方に９０度折り曲げるためのミラー２１５と、ミラー２１５の後方に配置された撮像レンズ２１６と、ＣＣＤ２１７とで構成されている。ＣＣＤ２１７は、そのライン方向がガイドバー２１１の長手方向と直交する方向に向けられており、そのライン方向に読み取りを行うことで、フィルム５の主走査を行うことになる。
【００６３】
一方、キャリッジ２１２は、上端部、及び下端部においてカイドバー２１１が貫通されており、この貫通部において慴動されながらカイドバー２１１に沿って往復移動可能とされている。また、キャリッジ２１２のほぼ中心位置には矩形の読み取り窓２１９が板厚方向に貫通されており、この読み取り窓２１９を通してフィルム５の読み取りが行われる。さらに、キャリッジ２１２の上端部、及び下端部は、Ｌ字型に曲げ形成されて、フィルムホルダ４を保持するためのレール２１８が固定されている。レール２１８間にはフィルムホルダ４が保持され、かつフィルムホルダ４をレール２１８の延長方向に沿って移動可能としている。また、キャリッジ２１２の下端部には、長手方向に沿って送りナット２３５が一体的に設けられている。
【００６４】
また、フィルムホルダ４で保持するフィルム５は、３５ｍｍフィルムを例えば６駒毎に切断したフィルムストリップとして構成されており、このフィルム５を保持するフィルムホルダ４は、上端部に開閉ノブ４０３が設けられており、開閉ノブ４０３を操作することにより、板厚方向に開閉することができ、フィルム５をセットすることができる構成になっている。
【００６５】
また、フィルムホルダ４はフィルム５に対応して６個の矩形をした駒窓４０１がフィルムホルダ４の長さ方向に沿って配列されている。なお、駒窓４０１はフィルム５に撮影されている画像の駒に対応した寸法及びピッチ寸法に形成されていることは言うまでもない。また、フィルムホルダ４の下端の内面には、長手方向に向けてラック４０２が一体的に設けられている。そして、フィルムホルダ４はキャリッジ２１２の一対のレール２１８間に長手方向に向けて挿通され、レール２１８に沿ってキャリッジ２１２上を移動されるように構成される。
【００６６】
一方、ガイドバー２１１の延長方向にフィルム５を移動して副走査を行うための走査機構は、フィルムホルダ４を駆動するための第１の走査機構２２１と、キャリッジ２１２を駆動するための第２の走査機構２３１とで構成される。
【００６７】
第１の走査機構２２１は、キャリッジ２１２に支持されたフィルムホルダ駆動モータ２２２を備えており、フィルムホルダ駆動モータ２２２の回転軸にはピニオン２２３が取着され、ピニオン２２３にはギア２２４が噛合され、ギア２２４はキャリッジ２１２の下部面に設けられた開口を通してレール２１８間に挿通支持されているフィルムホルダ４の下端内面のラック４０２に噛合される。すなわち、第１の走査機構２２１は、本発明に係わる画像入力システムにおける第１の走査手段として機能するものである。
【００６８】
第２の走査機構２３１は、ガイドバー２１１の一方に隣接する位置のフィルムスキャナ２の筐体に支持されたキャリッジ駆動モータ２３２を備えており、このキャリッジ駆動モータ２３２の回転軸には継ぎ手２３３を介して送りねじ２３４が取着され、キャリッジ２１２の下端部に設けられた送りナット２３５に噛合されている。すなわち、第２の走査機構２２１は、本発明に係わる画像入力システムにおける第２の走査手段として機能するものである。
【００６９】
なお、前記各モータ２２２、２３２はいずれもパルス信号を入力したときに所定の回転角単位で回転するステップモータが用いられている。
【００７０】
ここで、本発明に係る画像入力システム１で行われるスキャン動作全体の概要を図７に示すフローチャート、及び図１０を用いて説明する。
【００７１】
図１０（ａ）はモニタ３０２におけるインデックス画像表示を示す模式図である。また図１０（ｂ）はモニタ３０２におけるプリスキャン画像表示を示す模式図である。
【００７２】
最初に、読み取りを行うフィルム５をフィルムホルダ４に装着し（ステップＳ１）、フィルムホルダ４をフィルムスキャナ２のフィルムホルダ挿入口２０５に挿入する（ステップＳ２）。フィルムホルダ４がフィルムホルダ挿入口２０５に挿入されると、フィルムホルダ検知センサ２７２がフィルムホルダ４の挿通を検知して、制御マイコン２６５は、フィルムホルダ駆動モータ２２２の駆動を開始する（ステップＳ３）。
【００７３】
フィルムホルダ駆動モータ２２２が駆動を開始すると、フィルムホルダ４がフィルムスキャナ２の後方に向かって移動しプリスキャンが開始される（ステップＳ４）。このときの副走査ピッチは本スキャン時の副走査ピッチよりも荒く設定されている。例えば、本発明においては、本スキャンの副走査ピッチを５４００ドット／２５．４ｍｍとすると、プリスキャンの副走査ピッチは６７５ドット／２５．４ｍｍに設定する。
【００７４】
そして、プリスキャンによって、フィルム４のフィルム画像が読み取られ（ステップＳ５）、ホストＰＣ３は、読み取られたプリスキャン画像データを記憶部３１４に記録する（ステップＳ６）。また、インデックス画像生成部３１６は記憶部３１４に記憶されたプリスキャン画像データを読み出してインデックス画像を生成する（ステップＳ７）。
【００７５】
そして、ホストＰＣ３は、インデックス画像生成部３１６で生成されたインデックス画像をモニタ３０２に表示する（ステップＳ８）。このときモニタ３０２には図１０（ａ）に示すようにインデックス画像ＩＸ１乃至ＩＸ６が表示される。また、インデックス画像はプリスキャン画像データより間引きを行われて生成され、プリスキャン画像の画素数よりも少ない画素数で構成されている。例えば、本発明においては、プリスキャン画像の画素数６３４×９５６画素（６７５ドット／２５．４ｍｍ相当）とすると、インデックス画像の画素数は２８２×４２５画素（３００ドット／２５．４ｍｍ相当）に設定する。
【００７６】
次に、操作者がモニタ３０２に表示されたインデックス画像より所望の１駒をキーボード３０３で選択すると（ステップＳ９）、ホストＰＣ３は選択されたインデックス画像に基づくプリスキャン画像データを記憶部３１４から読み出して、読み出したプリスキャン画像をモニタ３０２に表示する（ステップＳ１０）。例えば図１０（ａ）においてインデックス画像８１の１駒目（ＩＸ１）８２が選択されると、図１０（ｂ）に示すようにＩＸ１に基づくプリスキャン画像がモニタ３０２に表示される。
【００７７】
次に、操作者は、モニタ３０２に表示された所望のプリスキャン画像の確認や、また編集を行った後、キーボード３０３で本スキャン指示を行う（ステップＳ１１；Ｙｅｓ）。
【００７８】
本スキャン指示が行われると、制御マイコン２６５は、フィルホルダ４を選択された駒に移動した後、キャリッジ駆動モータ２３２の駆動を開始する（ステップＳ１２）。キャリッジ駆動モータ２３２が駆動を開始すると、キャリッジ２１２がフィルムスキャナ２の後方に向かって移動し本スキャンが開始される（ステップＳ１３）。そして本スキャンによって、フィルム４のフィルム画像が読み取られ（ステップＳ１４）、ホストＰＣ３は、読み取られた本スキャン画像データを記憶部３１４に記録し、また、記憶部３１４に記憶された本スキャン画像データを読み出して本スキャン画像をモニタ３０２に表示する（ステップＳ１５）。
【００７９】
この様にして本スキャン画像がモニタ３０２に表示される様になる。本スキャン時の副走査ピッチを、上述した様に、例えば５４００ドット／２５．４ｍｍとすると、本スキャン画像の画素数は５０７６×７６５０画素相当の画像となり、非常に高精細な画像が得られることになる。
【００８０】
さらに、他の本スキャン画像を得たい場合には（ステップＳ１６；Ｙｅｓ）、操作者はキーボード３０３で指示することにより、ステップＳ８のインデックス画像表示に戻り、他の画像を選択することができる様になる。また、ステップＳ１１において本スキャン指示がないときは（ステップＳ１１；Ｎｏ）ステップＳ１６に移り、操作者からの次の指示を待つ。
【００８１】
この様に本発明に係わる画像入力システム１においては、操作者は、フィルムホルダ４をフィルムスキャナ２に装着するだけで、自動的にプリスキャンが行われ、プリスキャンによって読み込まれた画像データからインデックス画像が生成されて、モニタ３０２に表示することができる様になる。すなわち操作者は、キーボード３０３にて操作を行うことなく、フィルム５をフィルムスキャナ２に装着するだけで、プリスキャン画像データ、及びインデックス画像を１回のスキャン動作で得られる様になる。また、操作者は、モニタ３０２に表示されたインデックス画像から所望の１駒の画像をキーボード３０３で選択することにより、新たなプリスキャン動作が行われることなく、制御本体３０１は、記憶部３１４からキーボード３０３で選択されたインデックス画像に基づくプリスキャン画像データを読み出して、モニタ３０２にプリスキャン画像を表示することができる様になるのでプリスキャン画像を即座に得ることができる様になり、効率的にスキャン時間を大幅に短縮することができる様になった。
【００８２】
次に、本発明に係る画像入力システム１で行われる第１の走査機構２２１によるプリスキャン動作について図８に示すフローチャート、及び図５を用いて詳細に説明する。図５はフィルムスキャナ２の第１の走査機構２２１によるプリスキャン動作を示す模式的な上面方向の断面図である。
【００８３】
先ず図８中のステップＳ３１、ステップＳ３２の操作は、上述したスキャン動作全体の概要を示すフローチャート図７のステップＳ１、Ｓ２と同様のものなので、説明を省略する。
【００８４】
ステップＳ３２において、フィルムホルダ４がフィルムホルダ挿入口２０５に挿入されると、フィルムホルダ検知センサ２７２がフィルムホルダの挿通を検知して（ステップＳ３３）、制御マイコン２６５は、フィルムホルダ駆動モータ２２２の駆動を開始する（ステップＳ３４）。フィルムホルダ駆動モータ２２２が駆動を開始すると、フィルムホルダ４がフィルムスキャナ２の後方に向かって移動を開始する（ステップＳ３５）。そしてフィルムホルダ４が初期位置に到達すると、図示しないフィルムホルダ初期位置検知センサはフィルムホルダ４が初期位置に到達したことを検知して（ステップＳ３６）、制御マイコン２６５は、フィルムホルダ駆動モータ２２２の駆動を停止し、フィルムホルダ４はフィルムホルダ初期位置に停止する（ステップＳ３７）。このときフィルムホルダ４の駒窓４０１は図５（ａ）に示すようにキャリッジ２１２の読み取り窓２１９と合致した位置にある。また、キャリッジ２１２の読み取り窓２１９は読み取り部２１３の光軸Ｌの手前の位置にある。
【００８５】
次にフィルムホルダ４がフィルムホルダ初期位置に停止すると、制御マイコン２６５は、フィルムホルダ４がフィルムホルダ初期位置に停止して、フィルム画像の読み取り準備が完了したことをホストＰＣ３に送信する（ステップＳ３８）。ホストＰＣ３はフィルム画像の読み取り準備が完了したことを確認すると、フィルムスキャナ２にプリスキャン実行指令を送信する（ステップＳ３９）。そして制御マイコン２６５はホストＰＣ３からプリスキャン実行指令を受信すると、キャリッジ駆動モータ２３２の駆動を開始する（ステップＳ４０）。キャリッジ駆動モータ２３２が駆動を開始すると、キャリッジ２１２がフィルムスキャナ２の後方に向かって移動する（ステップＳ４１）。そしてキャリッジ２１２が初期位置に到達すると、図示しないキャリッジ初期位置検知センサはキャリッジ２１２が初期位置に到達したことを検知して（ステップＳ４２）、制御マイコン２６５は、キャリッジ駆動モータ２３２の駆動を停止し、キャリッジ２１２はキャリッジ初期位置に停止する（ステップＳ４３）。このときフィルムホルダ４の駒窓４０１は図５（ｂ）に示すようにキャリッジ２１２の読み取り窓２１９と合致した位置を維持し、また、読み取られる１駒目の副走査方向の最先端が光軸Ｌに対応する位置にある。
【００８６】
この様にしてキャリッジ２１２がキャリッジ初期位置に停止して、フィルム画像の読み取り準備が全て完了すると、制御マイコン２６５は、フィルムホルダ駆動モータ２２２の駆動を開始する（ステップＳ４４）。フィルムホルダ駆動モータ２２２が駆動を開始すると、フィルムホルダ４がフィルムスキャナ２の後方に向かって移動しプリスキャンが開始される（ステップＳ４５）。このとき、キャリッジ２１２は図５（ｃ）に示す様に、キャリッジ初期位置に停止した状態を維持し、フィルムホルダ４のみがフィルムスキャナ２の後方に向かって移動する。そしてプリスキャンによって、フィルム４の１駒分のフィルム画像が読み取られ（ステップＳ４６）、制御マイコン２６５は、読み取られた１駒分のプリスキャン画像データをホストＰＣ３に送出する（ステップＳ４７）。ホストＰＣ３は制御マイコン２６５から送られた１駒分のプリスキャン画像データを記憶部３１４に記録する（ステップＳ４８）。
【００８７】
そして、ホストＰＣ３は制御マイコン２６５から送信される１駒分プリスキャン画像データの受信を完了すると（ステップＳ４９；Ｙｅｓ）、ホストＰＣ３中のインデックス画像生成部３１６は記憶部３１４に記憶された１駒分のプリスキャン画像データを読み出してインデックス画像を生成する（ステップ５０）。そしてホストＰＣ３は、インデックス画像生成部３１６で生成されたインデックス画像をモニタ３０２に表示する（ステップＳ５１）。
【００８８】
また、ステップＳ４９において、制御マイコン２６５から送信される１駒分プリスキャン画像データの受信を完了していなければ（ステップＳ４９；Ｎｏ）、ステップＳ４６に戻り、１駒分のプリスキャン画像データの受信が完了するまでフィルム画像の読み取りが繰り返される。
【００８９】
次に、ホストＰＣ３は読み取られるフィルム５の全ての駒のプリスキャン画像データを取得したか否かを確認する（ステップＳ５２）。全ての駒のプリスキャン画像データが取得されていなければ（ステップＳ５２；Ｎｏ）、ステップＳ４６に戻り、全ての駒のプリスキャン画像データが取得されるまでフィルム画像の読み取りが繰り返される。また、全ての駒のプリスキャン画像データが取得されていれば（ステップＳ５２；Ｙｅｓ）、制御マイコン２６５はフィルムホルダ駆動モータ２２２の駆動を停止する（ステップＳ５３）。
【００９０】
この様にしてプリスキャン動作が行われて、読み取られたフィルム画像の全てのプリスキャン画像データが記憶部３１４に記録され、そして記憶部３１４に記憶されたプリスキャン画像データを読み出して、インデックス画像が生成され、モニタ３０２に表示される様になる。
【００９１】
そしてステップＳ５４乃至ステップＳ５５において、インデックス画像より選択された１の画像に基づくプリスキャン画像がモニタ３０２に表示されるまでの操作は、上述したスキャン動作全体の概要を示すフローチャート図７のステップＳ９乃至ステップＳ１０と同様のものなので、説明を省略する。
【００９２】
この様に、本発明に係る画像入力システム１で行われる第１の走査機構２２１によるプリスキャン動作においては、１回のスキャン動作で、プリスキャン画像データ、及びインデックス画像を取得することができる様になる。また、操作者は、モニタ３０２に表示されたインデックス画像から所望の１駒の画像をキーボード３０３で選択することにより、新たにプリスキャン動作を行うことなくプリスキャン画像を即座に視認することができる様になり、効率的にスキャン時間を大幅に短縮することができる様になった。
【００９３】
次に、本発明に係る画像入力システム１で行われる第２の走査機構２３１によるプリスキャン動作について図９に示すフローチャート、及び図６を用いて詳細に説明する。図６はフィルムスキャナ２の第２の操作機構２３１によるプリスキャン動作を示す模式的な上面方向の断面図である。
【００９４】
第２の走査機構２３１は、通常は本スキャン時に使用されるものであり、高精度の読み取り動作を行う走査機構であるが、本スキャン画像に近い高画質のプリスキャン画像や、各種画質補正が施されたプリスキャン画像を得たい場合には第２の走査機構２３１を用いてプリスキャン動作を行うことができる様にしたものである。
【００９５】
第１の走査機構２２１、及び第２の走査機構２３１による副走査ピッチは、例えば、下表１に示す範囲において複数種設定することができる様になっている。
【００９６】
【表１】
2006222502.tif 000003
【００９７】
すなわち第１の走査機構２２１により読み取られるフィルム画像の最大画素数をＰ１ｍａｘ、第２の走査機構２３１により読み取られるフィルム画像の最小画素数をＰ２ｍｉｎとすると、Ｐ１ｍａｘ、Ｐ２ｍｉｎは下式１の関係を満たす様に設定されていることから、６７５ドット／２５．４ｍｍ相当のプリスキャン画像は、何れの走査機構でも得られるようになっている。
【００９８】
Ｐ１ｍａｘ≧Ｐ２ｍｉｎ  （式１）
第２の走査機構２３１を用いてのプリスキャン動作は、例えば、上述した第１の走査機構２２１によるプリスキャン動作を示すフローチャート図８のステップＳ５５の操作に続いて実行される。
【００９９】
ステップＳ５５において、上述した第１の走査機構２２１によって得られたプリスキャン画像がモニタ３０２に表示されている。ここで操作者は、より高画質のプリスキャン画像を得たいときには、キーボード３０３でプリスキャン実行操作を行う（ステップＳ７１）。
【０１００】
次にホストＰＣ３は、プリスキャン実行操作が行われると、フィルムスキャナ２にプリスキャン実行指令を送信する（ステップＳ７２）。制御マイコン２６５はホストＰＣ３からプリスキャン実行指令を受信すると、キャリッジ駆動モータ２３２の駆動を開始する（ステップＳ７３）。キャリッジ駆動モータ２３２が駆動を開始すると、キャリッジ２１２がフィルムスキャナ２の後方に向かって移動しプリスキャンが開始される（ステップＳ７４）。このときの副走査ピッチは本スキャン時の副走査ピッチよりも荒く設定されている。例えば、本発明においては、本スキャンの副走査ピッチを５４００ドット／２５．４ｍｍとすると、プリスキャンの副走査ピッチは６７５ドット／２５．４ｍｍに設定する。
【０１０１】
このとき、キャリッジ２１２は図６（ｂ）に示す様に、フィルムホルダ４との位置関係を維持した状態で、フィルムスキャナ２の後方に向かって移動する。そしてプリスキャンによって、フィルム４のフィルム画像が読み取られ（ステップＳ７５）、制御マイコン２６５は、読み取られたプリスキャン画像データをホストＰＣ３に送出する（ステップＳ７６）。ホストＰＣ３は制御マイコン２６５から送られたプリスキャン画像データを記憶部３１４に記録する（ステップＳ７７）。そしてホストＰＣ３はフィルムスキャナ２にキャリッジ駆動モータ２３２の停止指令を送信し（ステップＳ７８）、制御マイコン２６５はホストＰＣ３からフィルムホルダ駆動モータ２２２の停止指令を受信すると、キャリッジ駆動モータ２３２の駆動を停止する（ステップＳ７９）。そしてホストＰＣ３はプリスキャン画像データを記憶部３１４より読み出して、プリスキャン画像をモニタ３０２に表示する（ステップＳ８０）。
【０１０２】
この様に、本スキャン画像に近い高画質のプリスキャン画像を得たいときには第２の走査機構２３１を用いてプリスキャン動作を行うことにより、高品質のプリスキャン画像を視認することができる様になる。
【０１０３】
以上の様に、本発明に係る画像入力システムでは、装置の複雑化や高価格化を招くことなく、インデックススキャンから本スキャンに至るまでのスキャンシーケンス全体を対象として、効率的にスキャン時間の短縮を行える様になった。
【図面の簡単な説明】
【０１０４】
【図１】本発明に係る画像入力システムの全体を示す構成図である。
【図２】本発明に係るフィルムスキャナの外観を示す斜視図である。
【図３】本発明に係るフィルムスキャナの走査機構部の構成を示す斜視図である。
【図４】本発明に係わる画像入出力システムの全体を示すブロック構成図である。
【図５】本発明に係わるフィルムスキャナの第１の走査機構によるプリスキャン動作を示す模式的な上面方向の断面図である。
【図６】本発明に係わるフィルムスキャナの第２の走査機構によるプリスキャン動作を示す模式的な上面方向の断面図である。
【図７】本発明に係る画像入力システムのスキャン動作全体の概要を示すフローチャートである。
【図８】本発明に係る画像入力システムの第１の走査機構によるプリスキャン動作を示すフローチャートである。
【図９】本発明に係る画像入力システムの第２の走査機構によるプリスキャン動作を示すフローチャートである。
【図１０】本発明に係る画像入力システムのモニタ画像表示を示す模式図である。
【符号の説明】
【０１０５】
１  画像入力システム
２  フィルムスキャナ
２１２  移動テーブル（キャリッジ）
２１３  読み取り部
２１７  ラインセンサ（ＣＣＤ）
２１８  レール
２１９  読み取り窓
２２１  第１の走査機構
２２２  フィルムホルダ駆動モータ
２３１  第２の走査機構
２３２  移動テーブル駆動モータ（キャリッジ駆動モータ）
２５１  ＣＤＳ回路部
２５２  アンプ部
２５３  アナログマルチプレクサ（ＭＰＸ）
２５４  Ａ／Ｄ変換器
２６１  デジタル信号処理部
２６２  出力データバッファメモリ
２６３  ＤＭＡコントローラ
２６４  ＵＳＢコントローラ
２６５  制御マイコン
２６８  タイミングジェネレータ
２７２  フィルムホルダ検知センサ
３  ホストコンピュータ（ホストＰＣ）
３０１  制御本体
３０２  表示部（モニタ）
３０３  入力操作部（キーボード）
３０５  制御部
３０７  フレームメモリ
３１２  プリスキャン制御部
３１３  本スキャン制御部
３１４  記憶部
３１５  データ転送部
３１６  インデックス画像生成部
４  フィルムホルダ
５  ３５ｍｍネガ／ポジスリーブフィルム（フィルム）
【図１】
2006222502.tif 000004
【図２】
2006222502.tif 000005
【図３】
2006222502.tif 000006
【図４】
2006222502.tif 000007
【図５】
2006222502.tif 000008
【図６】
2006222502.tif 000009
【図７】
2006222502.tif 000010
【図８】
2006222502.tif 000011
【図９】
2006222502.tif 000012
【図１０】
2006222502.tif 000013